(57)【要約】  カメラ端末において撮影された写真のデータのプレビューが容易でなく、カメラ端末の紛失等により撮影された写真のデータが漏洩する可能性を低減するため、所定の識別子が付された写真のデータ、もしくは写真表示要求信号を前記所定の識別子が認識可能な状態で送信する端末制御手段と、写真データを表示する表示手段とを備える。
2015093020.tif 000002
【特許請求の範囲】
【請求項１】
自装置で撮影され、所定の識別子が付された写真のデータ、もしくは入力された写真表示要求信号を前記所定の識別子が認識可能な状態で送信する端末制御手段と、
前記写真表示要求信号に対応して受信した写真データを自装置に保存せずに表示する表示手段と
を備えることを特徴とするカメラ端末装置。
【請求項２】
カメラ端末装置に対応する所定の識別子が付されて受信された写真データを前記所定の識別子に対応するメモリ領域に格納するメモリ手段と、
受信された写真表示要求信号に対応した前記識別子に対応する前記メモリ領域に格納されている前記写真データを、前記識別子に対応するカメラ端末装置で表示可能なように送信するサーバ制御手段と
を備えることを特徴とするシンクライアントサーバ装置。
【請求項３】
前記端末制御手段は、さらに、前記送信する写真データを暗号化することを特徴とする請求項１に記載のカメラ端末装置。
【請求項４】
前記サーバ制御手段は、さらに、前記メモリ領域に格納する暗号化された写真データを復号化することを特徴とする請求項２に記載のシンクライアントサーバ装置。
【請求項５】
さらに、前記送信する暗号化された写真データを保存するメモリ手段を備え、
前記端末制御手段は、さらに、前記暗号化された写真データの送信の際、自装置がシンクライアントサーバ装置と接続されていない場合には、接続を行って、前記メモリ手段に保存された前記暗号化された写真データに前記識別子を付して送信し、また、受信確認信号を受信すると、前記メモリ手段から前記暗号化された写真データを削除することを特徴とする請求項３に記載のカメラ端末装置。
【請求項６】
前記サーバ制御手段は、さらに、前記識別子が付された写真データを受信すると、前記受信確認信号を送信することを特徴とする請求項４に記載のシンクライアントサーバ装置。
【請求項７】
請求項１、３、５のいずれかに記載のカメラ端末装置と請求項２、４、６のいずれかに記載のシンクライアントサーバ装置とがネットワーク経由で接続されて前記送信と前記受信とが行われることを特徴とするカメラシステム。
【請求項８】
撮影され、所定の識別子が付された写真のデータ、もしくは入力された写真表示要求信号を前記所定の識別子が認識可能な状態で送信し、
前記写真表示要求信号に対応して受信した写真データを保存せずに表示することを特徴とするカメラ端末装置の制御方法。
【請求項９】
カメラ端末装置に対応する所定の識別子が付されて受信された写真データを前記所定の識別子に対応するメモリ領域に格納し、
受信された写真表示要求信号に対応した前記識別子に対応する前記メモリ領域に格納されている前記写真データを、前記識別子に対応するカメラ端末装置で表示可能なように送信する
ことを特徴とするシンクライアントサーバ装置の制御方法。
【発明の詳細な説明】
【技術分野】
【０００１】
本発明は、カメラ端末装置、シンクライアントサーバ装置、カメラシステム、および制御方法に関する。
【背景技術】
【０００２】
従来よりスマートフォンやタブレットなどの端末をクラウド上に用意された仮想端末に接続して、仮想端末上でアプリケーションやデータを利用することを可能にするシンクライアントソリューションが用いられている。これは、端末の紛失による情報漏洩等のセキュリティリスクを抑えて、端末を安心・安全に利用するためのものである。【０００３】
シンクライアントシステムでは、クライアント端末にではなくサーバ上の仮想端末にデータを保存することによって、クライアント端末の紛失による情報漏洩等のセキュリティリスクを抑えている。【０００４】
クライアント端末として利用されているスマートデバイスには、多くの場合、カメラ機能が搭載されている。スマートデバイスのカメラ機能として、撮影された写真のデータをネットワーク経由でサーバに送信する機能がある。ところが、サーバに送信された写真データをスマートデバイスで閲覧するためには、写真データを送信したものとは異なるアプリケーションで表示しなければならないことがある。このため、スマートデバイスにおいてサーバに送信した写真をすぐにプレビューできなかったり、あるいは、パソコンでしかサーバ上の写真が見られないなどの問題がある。また、前述の写真送信機能は、スマートデバイスにおいて撮影された写真のデータをいったんスマートデバイスに保存しておくため、スマートデバイスの紛失等により写真データが漏洩する可能性があるといったセキュリティ上の問題がある。【０００５】
このような問題の解決に関する技術が特許文献１〜４に記載されている。【０００６】
特許文献１に記載の技術は、次の通りである。【０００７】
携帯通信端末との間で、画像データを含む電子メールの送受を行う画像処理装置を備えた画像通信システムにおいて、携帯通信端末は、画像データを取り込む画像取込手段と、取り込んだ画像データを含む電子メールを特定の宛先に送信する送信手段とを有する。携帯通信端末は、さらに、画像処理装置から送信された電子メールを受信する受信手段と、受信された電子メールに含まれる画像データを表示装置に表示させる表示制御手段とを有する。画像処理装置は、携帯通信端末から送信された電子メールを受信する受信手段と、受信された電子メールを画像データと文字データとに分離するデータ分離手段と、分離された画像データに対して所定の画像加工処理を行う画像加工手段とを有する。画像処理装置は、さらに、画像加工処置を行った状態の画像データを含む電子メールを携帯通信端末に返信する送信手段を有する。【０００８】
つまり、携帯通信端末から電子メールで送信されて画像処理装置で受信された画像データが加工処理された後、携帯通信端末に電子メールで送信されている。【０００９】
特許文献２に記載の技術は、次の通りである。【００１０】
カメラシステムは、認証サーバとなる第１メディアレスカメラと、クライアントとなる第２メディアレスカメラと、ファイルサーバとを備える。第１メディアレスカメラは、第２メディアレスカメラがファイルサーバにログインする際の認証を代行する。認証に成功した第２メディアレスカメラは、ファイルサーバへ直接撮影データの転送を行う。【００１１】
特許文献３に記載の技術は、次の通りである。【００１２】
カメラ付き情報検索装置は、カメラ画像と、位置検出手段で検出された位置情報と向き検出手段で検出された向き情報とカメラのレンズ焦点距離情報および撮影倍率情報からなる付加情報とをサーバに送信する手段を有する。カメラ付き情報検索装置は、カメラ画像の撮影範囲での１つ以上のターゲットの検索を要求する手段を有する。カメラ付き情報検索装置は、付加情報に基づいて検出されるカメラの撮影範囲内でのターゲットやカメラ画像内の情報から検出されるターゲットに関するサーバからの検索結果を受信する手段を有する。カメラ付き情報検索装置は、受信した検索結果を処理し、表示部の表示画面に夫々のターゲットの検索画面を表示させる手段と有する。検索画面では、夫々のターゲット毎にターゲットに該当する選択情報を表示し、選択情報を選択することにより、該当するターゲットに関する詳細情報を取得可能に構成している。【００１３】
特許文献４に記載の技術は、次の通りである。【００１４】
監視カメラ端末は、撮影した画像を端末独自の暗号キーにより暗号化する暗号化手段と、暗号化手段によって暗号化された画像データを記憶する画像データ記憶部と、他の監視カメラ端末と無線による通信を行う無線通信手段とを備える。無線通信手段は、暗号化手段によって暗号化された画像データを他の監視カメラ端末に送信するとともに、他の監視カメラ端末において撮影され、暗号化された画像データを受信する。画像データ記憶部は、無線通信手段が他の監視カメラ端末から受信した暗号化された画像データを記憶する。
【先行技術文献】
【特許文献】
【００１５】
【特許文献１】特開２００２−１９７０３８号公報
【特許文献２】特開２００８−０４２６３１号公報
【特許文献３】特開２００８−２５０４７４号公報
【特許文献４】特開２００８−２９４８０５号公報
【発明の概要】
【発明が解決しようとする課題】
【００１６】
特許文献１に記載の技術において、画像データが画像処理装置から送信されて携帯通信端末で受信され、携帯通信端末に存在するため、携帯通信端末の紛失等により画像データが漏洩する可能性がある。【００１７】
特許文献２に記載の技術において、撮影データがメディアレスカメラからファイルサーバに転送されて、ファイルサーバに存在するため、携帯端末でその撮影データを表示するにはその撮影データを携帯端末に取り込んで保存する必要がある。このため、携帯端末において撮影データの表示（プレビュー）が容易でなく、携帯端末の紛失等により画像データが漏洩する可能性がある。【００１８】
特許文献３に記載の技術において、カメラ画像がカメラ付き情報検索装置からサーバに送信されて、サーバに存在するため、カメラ付き情報検索装置でそのカメラ画像を表示するにはそのカメラ画像をカメラ付き情報検索端末に取り込んで保存する必要がある。このため、カメラ付き情報検索端末においてカメラ画像の表示が容易でなく、カメラ付き情報検索装置の紛失等によりカメラ画像が漏洩する可能性がある。【００１９】
特許技術４に記載の技術において、画像データが監視カメラ端末で暗号化され、他の監視カメラ端末に送信されて、他の監視カメラに存在する。このため、その画像データを送信した監視カメラ端末でその画像データを表示するにはそのカメラ画像をその監視カメラ端末に取り込んで保存し、暗号の復号化を行う必要がある。このため、監視カメラ端末において画像データの表示が容易でなく、監視カメラ端末の盗難等によりカメラ画像が漏洩する可能性がある。【００２０】
つまり、カメラ端末において撮影された写真のデータの表示が容易でなく、カメラ端末の紛失等により撮影された写真のデータが漏洩する可能性があることが課題である。【００２１】
本発明の目的は、この課題を解決するカメラ端末装置、シンクライアントサーバ装置、カメラシステム、および制御方法を提供することである。
【課題を解決するための手段】
【００２２】
本発明のカメラ端末装置は、自装置で撮影され、所定の識別子が付された写真のデータ、もしくは入力された写真表示要求信号を前記所定の識別子が認識可能な状態で送信する端末制御手段と、前記写真表示要求信号に対応して受信した写真データを自装置に保存せずに表示する表示手段とを備えることを特徴とする。【００２３】
本発明のカメラ端末の制御方法は、撮影され、所定の識別子が付された写真のデータ、もしくは入力された写真表示要求信号を前記所定の識別子が認識可能な状態で送信し、前記写真表示要求信号に対応して受信した写真データを保存せずに表示することを特徴とする。
【発明の効果】
【００２４】
本発明によれば、カメラ端末において撮影された写真のデータの表示を容易に行え、カメラ端末の紛失等により撮影された写真のデータが漏洩する可能性を低減させることが可能となる。
【図面の簡単な説明】
【００２５】
【図１】本発明の第１の実施形態におけるカメラシステムの構成例を示す図である。
【図２】本発明の第１の実施形態におけるデータベースのイメージ例を示す図である。
【図３】本発明の第１の実施形態におけるカメラシステムの動作を示すフローチャートである。
【図４】本発明の第２の実施形態におけるカメラシステムの構成例を示す図である。
【発明を実施するための形態】
【００２６】
本発明の第１の実施形態について、図面を参照して説明する。
【００２７】
図１は本実施形態におけるカメラシステムの構成例を示す。カメラシステムは、画面転送型のシンクライアントシステムで、シンクライアントサーバ１０、カメラ端末２０を有する。シンクライアントサーバ１０とカメラ端末２０とはネットワーク経由で接続される。カメラ端末２０は、シンクライアントサーバ１０のクライアント端末である。
【００２８】
シンクライアントサーバ１０は、メモリ部１１、制御部１２、復号部１３、認証サーバ部１４、データベース部１５、ＩＤ（Identification）生成部１６を備える。
【００２９】
カメラ端末２０は、画面表示部２１、カメラ部２２、制御部２３、暗号化部２４、メモリ部２５、認証クライアント部２６を備える。
【００３０】
シンクライアントサーバ１０の各部を説明する。
【００３１】
メモリ部１１は、複数のメモリ領域を有し、各々のメモリ領域は、写真データの保存を行う。
【００３２】
制御部１２は、写真データの表示機能を有するアプリケーションを備え、データベースの検索、復号化部、メモリ部の制御などを行う。
【００３３】
復号化部１３は、暗号化された写真データの復号化を行う。
【００３４】
認証サーバ部１４は、カメラ端末ユーザの認証、メモリ領域の割り当て、ＩＤのカメラ端末への払い出しなどを行う。
【００３５】
データベース部１５は、ユーザ名、パスワード、ＩＤ、メモリ領域の識別子などが登録される。
【００３６】
ＩＤ生成部１６は、ＩＤの生成を行う。
【００３７】
カメラ端末２０の各部を説明する。
【００３８】
画面表示部２１は、写真データの表示を行う。
【００３９】
カメラ部２２は、物理的なカメラ機能を備え、ユーザによる写真撮影が行われ、写真データの作成を行う。
【００４０】
制御部２３は、暗号化された写真データのシンクライアントサーバへの送信を行う。
【００４１】
制御部２３は、シンクライアントサーバへの写真表示要求を行う。
【００４２】
暗号化部２４は、写真データの暗号化を行う。
【００４３】
メモリ部２５は、写真データ、ＩＤの保存を行う。
【００４４】
認証クライアント部２６は、シンクライアントサーバへの認証要求を行う。
【００４５】
次に、本実施形態におけるカメラシステムの動作について、図１〜３を参照して説明する。
【００４６】
予め、シンクライアントサーバ１０において、データベース部１５にカメラ端末を使用するユーザのユーザ名およびパスワードが登録されているものとする。図２はデータベース部１５のイメージ例を示す。図２では、ユーザ名、パスワード、ＩＤ、メモリ領域の識別子などが対応付けられて登録されている。なお、ユーザ名、パスワードは予め登録されるが、ＩＤ、メモリ領域の識別子などは認証要求に応じて登録される（詳細後述）。
【００４７】
まず、ユーザＩＤの払い出し動作について、図３のフローチャートを参照して説明する。
【００４８】
ユーザによりカメラ端末２０で所定のインタフェース（図示せず）にてユーザ名、パスワードが入力される。入力されたユーザ名およびパスワードは認証クライアント部２６に入力されて認証要求として送信部（図示せず）からネットワーク経由でシンクライアントサーバ１０に送信される（Ｓ１１）。その認証要求は、例えば、ｈｔｔｐ（Hypertext Transfer Protocol）で行われる。認証要求を受信部（図示せず）にて受信したシンクライアントサーバ１０は認証サーバ部１４で認証要求におけるユーザ名およびパスワードがデータベース部１５に登録されているか確認する（Ｓ１２）。登録されていない場合（Ｓ１２で登録無）は、認証要求への応答として、登録されていないことを示すメッセージ、例えば、「ＮＧ」が送信部（図示せず）からネットワーク経由でカメラ端末２０に送信される（Ｓ１３（処理終了）カメラ端末では「登録されていない」等のメッセージが表示される）。登録されている場合（Ｓ１２で登録有）は、ＩＤ生成部１６で、例えば、３２ｂｙｔｅのランダム文字列のＩＤが生成され、また、認証サーバ部１４でメモリ部１１の一つのメモリ領域が該ユーザに割り当てられる。生成されたＩＤ、割り当てられたメモリ領域の識別子はデータベース部１５に該ユーザ名・パスワードと対応付けられて登録される（Ｓ１４）。例として、あるユーザのユーザ名が「Ａａｍｍｚｚ」、パスワードが「０１２３ｘｙ」であるとし、それらが予めデータベース部１５に登録されているとする。そのユーザによりカメラ端末２０から認証要求が行なわれると、認証サーバ部１４によりデータベース部１５が検索され、ユーザ名「Ａａｍｍｚｚ」、パスワード「０１２３ｘｙ」が登録されていると、ＩＤが生成され、メモリ領域が割り当てられる。生成されたＩＤが「ｓｋ３４ａｚ」、割り当てられたメモリ領域の識別子が「ｖｔ１」であるとすると、データベース部１５におけるそのユーザに関する内容は図２のようになる。次に、認証サーバ部１４により認証要求への応答として生成されたＩＤが送信部からネットワーク経由でカメラ端末２０に送信される（Ｓ１５）。カメラ端末２０の受信部（図示せず）にて受信されたＩＤはメモリ部２５に保存される（Ｓ１６）。これにより、シンクライアントサーバ１０は、自身に接続されているカメラ端末２０のユーザをユーザ名、パスワード、またはＩＤにもとづいて認識することが可能となる。
【００４９】
なお、ユーザのカメラ端末２０の使用はユーザ毎にユーザ名、パスワードで管理されるようにしてもよい。また、あるユーザの認証要求により払い出されたＩＤを保存しているカメラ端末２０で別のユーザの認証要求によりＩＤが払い出された場合、そのカメラ端末においてユーザ毎にユーザ名、パスワードでＩＤを管理するようにしてもよい。さらに、あるカメラ端末からの認証要求によりＩＤを払い出されたユーザが別のカメラ端末からの認証要求によりＩＤを払い出される場合、データベース部１５においてカメラ端末毎にＩＤを管理するようにしてもよい。
【００５０】
次に、写真データのメモリ領域への保存動作について、図３のフローチャートを参照して説明する。
【００５１】
ユーザにより、カメラ端末２０にユーザ名、パスワードの入力が行われた上で、カメラ部２２で写真撮影が行われると、撮影された写真のデータが暗号化部２４にて暗号化される（Ｓ２１）。写真データの形式は、例えば、ＪＰＥＧ（Joint Photographic Experts Group）やＲＡＷ画像（Raw image format）である。暗号化の方法は、例えば、ＡＥＳ（Advanced Encryption Standard）を使用する。暗号化された写真データは、メモリ部２５にて、保存されているＩＤが付加されて保存される（Ｓ２２）。ＩＤ付加の方法は、例えば、ＩＤを暗号化された写真データのファイル名とする。なお、暗号化前の写真データはストレージには保存されない。制御部２３が、カメラ端末２０がシンクライアントサーバ１０に接続されていなければ接続させて、メモリ部２５に保存されている暗号化された写真データを送信部からネットワーク経由でシンクライアントサーバ１０に送信する（Ｓ２３）。そのデータ送信は、例えば、ｈｔｔｐで行われる。また、写真データは、圧縮して送信してもよい。暗号化された写真データを受信部にて受信したシンクライアントサーバ１０は制御部１２で、データ送信への応答として、写真データを受信したことを示すメッセージ、例えば、「ＯＫ」を送信部からネットワーク経由でカメラ端末２０に送信する（Ｓ２４）。データ送信への応答を受信部にて受信したカメラ端末２０はメモリ部２５から暗号化された該写真データを削除する（Ｓ２５）。シンクライアントサーバ１０の受信部にて受信された暗号化された写真データは復号化部１３にて復号化される（Ｓ２６）。制御部１２が受信された写真データに付加されているＩＤでデータベース１５を検索し、そのＩＤに対応付けられているメモリ領域に復号化された写真データを保存する（Ｓ２７）。
【００５２】
なお、写真データの暗号化は、撮影された写真データが撮影後直ちにシンクライアントサーバ１０に保存される場合や伝送されるネットワーク上で漏洩しない場合などは必須ではない。しかしながら、撮影された写真データをサーバ１０に保存できずに一旦カメラ端末２０に保存する場合や撮影された写真データが伝送されるネットワーク上で漏洩する可能性がある場合などは暗号化によって写真データの漏洩の可能性を低減させることが可能である。また、写真データのメモリ部２５への保存は、カメラ端末２０がシンクライアントサーバ１０に接続されていない等、上述のような、撮影された写真データをシンクライアントサーバ１０に保存できない場合のために行うものである。そのため、カメラ端末２０からの写真データおよびＩＤの送信は、カメラ端末２０がシンクライアントサーバ１０に接続されていれば、写真データを一旦メモリ部２５に保存せずに行ってもよい。その場合は、カメラ端末２０に写真データを保存しないことによって写真データの漏洩の可能性を低減させることが可能となる。
【００５３】
次に、写真の表示動作について、図３のフローチャートを参照して説明する。
【００５４】
ユーザにより、カメラ端末２０にユーザ名、パスワードの入力が行われた上で、カメラ端末２０で所定のインタフェース（図示せず）にて写真表示操作が行われると、制御部２３により写真表示要求が送信部からネットワーク経由でシンクライアントサーバ１０に送信される（Ｓ３１）。シンクライアントサーバ１０は、前述のように、自身に接続されているカメラ端末２０のユーザをユーザ名、パスワード、またはＩＤにもとづいて認識する。そのため、この写真表示要求は、その要求の操作を行っているユーザ固有のユーザ名、パスワード、またはＩＤが判別可能なものとなる。写真表示要求を受信部にて受信したシンクライアントサーバ１０は制御部１２で、ユーザ名、パスワード、またはＩＤにもとづいてそのＩＤに対応付けられているメモリ領域において保存されている写真データから画面データをアプリケーション等で生成させる（Ｓ３２）。生成された画面データはキャプチャされ、圧縮符号化、パケット化されて送信部からネットワーク経由でカメラ端末２０に送信され、カメラ端末２０において画面データは画面表示部２１に表示される（Ｓ３３）。カメラ端末２０での画面データは画面表示部２１のメモリ（図示せず）にあり、ストレージ等には保存されない。
【００５５】
なお、シンクライアントサーバ１０からカメラ端末２０に、画面データを送信するのではなく、画面の描画のための描画コマンドを送信し、カメラ端末２０で描画コマンドにより画面を描画して画面表示部２１に表示するようにしてもよい。
【００５６】
以上のように、カメラ端末で撮影された写真のデータが撮影後サーバに送信されて、サーバにおいてカメラ端末ユーザ固有のＩＤに対応付けられたメモリ領域に保存される。ユーザによりカメラ端末で写真データの表示操作が行われると、サーバにおいてユーザ固有のＩＤに対応付けられたメモリ領域の写真データから画面データが生成されて、生成された画面データがカメラ端末に保存されずに表示される。
【００５７】
これにより、カメラ端末において撮影された写真のデータの表示を容易に行え、カメラ端末の紛失等により撮影された写真のデータが漏洩する可能性を低減させることが可能となる。
【００５８】
次に、本発明の第２の実施の形態について、図面を参照して説明する。
【００５９】
図４は本実施形態におけるカメラ端末装置の構成例を示す。
【００６０】
カメラ端末装置３０は、画面転送型のシンクライアント端末で、端末制御部３１、表示部３２を備える。
【００６１】
カメラ端末装置３０の各部を説明する。
【００６２】
端末制御部３１は、写真のデータと所定の識別子とを送信し、所定の識別子を含む写真表示要求信号を送信する。
【００６３】
表示部３２は、写真データを表示する。
【００６４】
次に、本実施形態におけるカメラ端末装置の動作について、図４を参照して説明する。
【００６５】
まず、写真データの保存動作について説明する。
【００６６】
ユーザによりカメラ端末装置３０で写真撮影が行われると、撮影された写真のデータと所定の識別子とが端末制御部３１によりネットワーク経由でシンクライアントサーバ装置へ送信される。（写真データはシンクライアントサーバ装置における所定の識別子に対応付けられているメモリ領域に保存される。）
次に、写真の表示動作について説明する。
【００６７】
ユーザによりカメラ端末装置３０で写真表示操作が行われると、写真表示要求信号が端末制御部３１によりネットワーク経由でシンクライアントサーバ装置へ所定の識別子が認識可能な状態で送信される。写真表示要求信号に応じてシンクライアントサーバ装置よりネットワーク経由で送信された写真データが表示部３２に表示される。なお、カメラ端末装置３０での写真データは表示部３２のメモリ（図示せず）にあり、ストレージ等には保存されない。
【００６８】
以上のように、カメラ端末で撮影された写真のデータが撮影後サーバに送信されて、（サーバにおけるカメラ端末ユーザのメモリ領域に保存される。）ユーザによりカメラ端末で写真データの表示操作が行われると、サーバより送信された写真データがカメラ端末に保存されずに表示される。
【００６９】
これにより、カメラ端末において撮影された写真のデータの表示を容易に行え、カメラ端末の紛失等により撮影された写真のデータが漏洩する可能性を低減させることが可能となる。
【００７０】
上記の実施の形態の一部または全部は、以下の付記のようにも記載されうるが、以下には限られない。
（付記１）自装置で撮影され、所定の識別子が付された写真のデータ、もしくは入力された写真表示要求信号を前記所定の識別子が認識可能な状態で送信する端末制御手段と、前記写真表示要求信号に対応して受信した写真データを自装置に保存せずに表示する表示手段とを備えることを特徴とするカメラ端末装置。
（付記２）カメラ端末装置に対応する所定の識別子が付されて受信された写真データを前記所定の識別子に対応するメモリ領域に格納するメモリ手段と、受信された写真表示要求信号に対応した前記識別子に対応する前記メモリ領域に格納されている前記写真データを、前記識別子に対応するカメラ端末装置で表示可能なように送信するサーバ制御手段とを備えることを特徴とするシンクライアントサーバ装置。
（付記３）前記端末制御手段は、さらに、前記送信する写真データを暗号化することを特徴とする付記１に記載のカメラ端末装置。
（付記４）前記サーバ制御手段は、さらに、前記メモリ領域に格納する暗号化された写真データを復号化することを特徴とする付記２に記載のシンクライアントサーバ装置。
（付記５）さらに、前記送信する暗号化された写真データを保存するメモリ手段を備え、
前記端末制御手段は、さらに、前記暗号化された写真データの送信の際、自装置がシンクライアントサーバ装置と接続されていない場合には、接続を行って、前記メモリ手段に保存された前記暗号化された写真データに前記識別子を付して送信し、また、受信確認信号を受信すると、前記メモリ手段から前記暗号化された写真データを削除することを特徴とする付記３に記載のカメラ端末装置。
（付記６）前記サーバ制御手段は、さらに、前記識別子が付された写真データを受信すると、前記受信確認信号を送信することを特徴とする付記４に記載のシンクライアントサーバ装置。
（付記７）付記１、３、５のいずれかに記載のカメラ端末装置と付記２、４、６のいずれかに記載のシンクライアントサーバ装置とがネットワーク経由で接続されて前記送信と前記受信とが行われることを特徴とするカメラシステム。
（付記８）撮影され、所定の識別子が付された写真のデータ、もしくは入力された写真表示要求信号を前記所定の識別子が認識可能な状態で送信し、前記写真表示要求信号に対応して受信した写真データを保存せずに表示することを特徴とするカメラ端末装置の制御方法。
（付記９）カメラ端末装置に対応する所定の識別子が付されて受信された写真データを前記所定の識別子に対応するメモリ領域に格納し、受信された写真表示要求信号に対応した前記識別子に対応する前記メモリ領域に格納されている前記写真データを、前記識別子に対応するカメラ端末装置で表示可能なように送信することを特徴とするシンクライアントサーバ装置の制御方法。
（付記１０）前記送信に先立ち、前記写真データが暗号化されることを特徴とする付記８に記載のカメラ端末装置の制御方法。
（付記１１）前記メモリ領域への格納に先立ち、前記暗号化された写真データが復号化されることを特徴とする付記９に記載のシンクライアントサーバ装置の制御方法。
（付記１２）さらに、前記送信する暗号化された写真データを保存し、前記暗号化された写真データの送信の際、カメラ端末装置がシンクライアントサーバ装置と接続されていない場合には、接続が行なわれて、前記保存された前記暗号化された写真データが前記識別子を付されて送信され、また、受信確認信号が受信されると、前記保存された前記暗号化された写真データが削除されることを特徴とする付記１０に記載のカメラ端末装置の制御方法。
（付記１３）前記識別子が付された写真データが受信されると、前記受信確認信号が送信されることを特徴とする付記１１に記載のシンクライアントサーバ装置の制御方法。
（付記１４）付記８、１０、１２のいずれかに記載のカメラ端末の制御方法の前記送信と前記受信とが付記９、１１、１３のいずれかに記載のシンクライアントサーバ装置の制御方法の前記受信と前記送信とにそれぞれ対応することを特徴とするカメラシステムの制御方法。
（付記１５）カメラ端末装置を構成するコンピュータに、
撮影され、所定の識別子が付された写真のデータ、もしくは入力された写真表示要求信号を前記所定の識別子が認識可能な状態で送信する端末制御ステップと、前記写真表示要求信号に対応して受信した写真データを保存せずに表示する表示ステップとを実行させることを特徴とするカメラ端末装置のプログラム。
（付記１６）シンクライアントサーバ装置を構成するコンピュータに、
カメラ端末装置に対応する所定の識別子が付されて入力された写真データを前記所定の識別子に対応するメモリ領域に格納するメモリステップと、入力された写真表示要求信号に対応した前記識別子に対応する前記メモリ領域に格納されている前記写真データを、前記識別子に対応するカメラ端末装置で表示可能なように送信するサーバ制御ステップとを実行させることを特徴とするシンクライアントサーバ装置のプログラム。
（付記１７）前記端末制御ステップは、さらに、前記送信する写真データを暗号化することを特徴とする付記１５に記載のカメラ端末装置のプログラム。
（付記１８）前記サーバ制御ステップは、さらに、前記メモリ領域に格納する暗号化された写真データを復号化することを特徴とする付記１６に記載のシンクライアントサーバ装置のプログラム。
（付記１９）さらに、前記送信する暗号化された写真データを保存するメモリステップを備え、前記端末制御ステップは、さらに、前記暗号化された写真データの送信の際、カメラ端末装置がシンクライアントサーバ装置と接続されていない場合には、接続を行って、前記メモリステップで保存された前記暗号化された写真データに前記識別子を付して送信し、また、受信確認信号を受信すると、前記メモリステップで保存された前記暗号化された写真データを削除することを特徴とする付記１７に記載のカメラ端末装置のプログラム。
（付記２０）前記サーバ制御ステップは、さらに、前記識別子が付された写真データを受信すると、前記受信確認信号を送信することを特徴とする付記１８に記載のシンクライアントサーバ装置のプログラム。
【００７１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７２】
この出願は、２０１３年１２月１８日に出願された日本出願特願２０１３−２６０７０６を基礎とする優先権を主張し、その開示の全てをここに取り込む。
【産業上の利用可能性】
【００７３】
本発明は、カメラ端末装置、シンクライアントサーバ装置、カメラシステム、および制御方法に利用可能である。
【符号の説明】
【００７４】
１０    シンクライアントサーバ
１１    メモリ部
１２    制御部
１３    復号部
１４    認証サーバ部
１５    データベース部
１６    ＩＤ生成部
２０    カメラ端末
２１    画面表示部
２２    カメラ部
２３    制御部
２４    暗号化部
２５    メモリ部
２６    認証クライアント部
３０    カメラ端末装置
３１    端末制御部
３２    表示部
【図１】
2015093020.tif 000003
【図２】
2015093020.tif 000004
【図３】
2015093020.tif 000005
【図４】
2015093020.tif 000006
【国際調査報告】
2015093020.tif 000007
2015093020.tif 000008
2015093020.tif 000009
2015093020.tif 000010